(57)【要約】【課題】バイオディーゼル燃料を使用するディーゼルエンジンにおいても、始動性に問題なく、常にバイオディーゼル燃料のみを使用することができ、エンジンの改造を行うことなく、後付けの装置のみでバイオディーゼル燃料が使用可能となるディーゼルエンジン燃料供給装置の燃料加熱システムを提供する。【解決手段】燃料タンク１と燃料をエンジンに噴射する燃料噴射ポンプ３０を備えたディーゼルエンジンの燃料供給装置において、燃料タンク１と燃料噴射ポンプ３０の間に燃料フィルタ１０と熱交換機２０が設けられ、燃料フィルタ１０と燃料噴射ポンプ３０には電気的加熱手段４０が取り付けられ、熱交換機２０にエンジンの冷却水を循環させて燃料を暖め、燃料フィルタ１０と燃料噴射ポンプ３０を電気的加熱手段４０で暖める構成とした。【選択図】図１
2009168002.tif 000002
【特許請求の範囲】
【請求項１】
ディーゼルエンジンと、前記ディーゼルエンジンで駆動される発電機を備えたエンジン発電機であって、
前記ディーゼルエンジンは、植物油を燃料とするエンジンであって、燃料タンクに取り付けられた燃料フィルタとエンジン本体に取り付けられた燃料噴射ポンプには電気的加熱手段が取り付けられ、
エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするエンジン発電機。
【請求項２】
ディーゼルエンジンと、前記ディーゼルエンジンで駆動される発電機を備えたエンジン発電機であって、
前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、
前記燃料フィルタは、金属性のフィルタヘッドと、前記フィルタヘッドに固着された半透明のフィルタ容器と、前記フィルタ容器に収容されたフィルタエレメントと、前記フィルタ容器の底部に設けられたドレイン通路に加熱用のヒータと、が備えられ、
エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするエンジン発電機。
【請求項４】
ディーゼルエンジンと、前記ディーゼルエンジンで駆動される発電機を備えたエンジン発電機であって、
前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、
前記燃料噴射ポンプは、燃料を圧送するプランジャと、前記プランジャから圧送される燃料を先端のノズルに導入する噴射管と、先端がエンジン本体の燃焼室に向けられて固定されたノズルとが備えられ、前記ノズルには加熱用のヒータが取り付けられ、
エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするエンジン発電機。
【請求項５】
ディーゼルエンジンと、前記ディーゼルエンジンで駆動される発電機を備えたエンジン発電機であって、
前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、
前記電気的加熱手段は、電源が車両本体のバッテリに接続されたコントロールパネルと、前記コントロールパネルに接続された前記燃料フィルタのヒータと前記噴射ポンプのヒータとが備えられ、前記コントロールパネルには、タイマ時間をセットするスイッチと、ヒーターの作動状態を表示するランプが設けられ、
エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするエンジン発電機。
【請求項６】
ディーゼルエンジンと、前記ディーゼルエンジンで駆動される発電機を備えたエンジン発電機であって、
前記ディーゼルエンジンは、植物油を燃料とするエンジンであって、燃料タンクに取り付けられた燃料フィルタとエンジン本体に取り付けられた燃料噴射ポンプには電気的加熱手段が取り付けられ、
前記発電機は、交流発電機と整流器、インバータを備え、交流と直流の任意の電圧を同時に出力し、
エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするエンジン発電機。
【請求項７】
ディーゼルエンジンと、前記ディーゼルエンジンで駆動される発電機を備えたエンジン発電機であって、
前記ディーゼルエンジンは、植物油を燃料とするエンジンであって、燃料タンクに取り付けられた燃料フィルタとエンジン本体に取り付けられた燃料噴射ポンプには電気的加熱手段が取り付けられ、
前記発電機は、交流発電機と整流器、インバータ、充電器を備え、交流と直流の任意の電圧を同時に出力し、前記充電器は負荷となる蓄電池を１時間以内に充電可能な構成とし、
エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするエンジン発電機。
【発明の詳細な説明】
【発明の詳細な説明】
【技術分野】
【０００１】  本発明は、発電装置に係り、特に廃食油を燃料として使用するディーゼルエンジンを備えた可搬式のエンジン発電機に関する。
【背景技術】
【０００２】  近年、地球の温暖化が問題となり、地球環境に優しく二酸化炭素の排出量が少ないバイオ燃料を使用する燃焼式の発電装置やディーゼルエンジンが登場するようになってきた。これらの発電装置においては、バイオ燃料として、廃食油を燃料として使用する装置も見られるようになってきた。これらの発電装置として、特許文献１乃至特許文献３に示すようなものがある。【０００３】  特許文献１は、燃料として重油を供給する重油供給装置と、植物油を供給する植物油供給装置とを備え、前記燃料の燃焼排ガス中の粒子状成分を酸化処理すると共に、該排ガス中の臭気成分を酸化分解する酸化触媒と、該排ガスを濾過するフィルタとを備えたことを特徴とするものである。【０００４】  また、特許文献２は、廃食用油を改質して発電装置とボイラ装置を有する発電設備の燃料とするものにおいて、前記廃食用油を改質する改質装置と、この改質装置より送出された廃食用油を貯留する貯留タンクと併設された液体燃料タンク、及び各タンクよりの送出流路に設けられた弁体を介して燃料をポンプに供給するようになした燃料供給装置とを設け、この燃料供給装置を介して前記発電装置に燃料を供給すると共に、この発電装置において発生した排熱をボイラ装置に送出して給水を加温し、温水を前記廃食用油の加温に使用することを特徴としたものである。【０００５】  さらに、特許文献３は、廃食油と廃潤滑油を主原料として、これらの配合割合を調節する共に温度を調節して攪拌混合し、得られた混合油を熱分解してガス化し、生成ガスを接触改質した後、当該改質ガスを冷却して得られた凝縮液から不用成分を除去して改質燃料油とし、当該改質燃料油を、発電機を駆動するディーゼルエンジンやガスタービン或いはボイラーなどの駆動機関の燃料として使用することを特徴とするものである。
【特許文献１】公開特許公報２００４−２７８９６号
【特許文献２】公開特許公報２００４−１９０９３５号
【特許文献３】公開特許公報２００６−９７６７１号
【発明の開示】
【発明が解決しようとする課題】
【０００６】  しかしながら、上述した特許文献１の発電設備においては、廃食用油を改質して使用するので、改質のための装置が必要となり、そのための設備は大がかりとなり、このような設備は商用電力などが豊富に得られる設備環境の整った場所にしか設置できず、商用電力などが得られない未開地でなどには到底設置できないという問題があった。【０００７】  また、特許文献２の発電装置においても、廃食用油と重油や軽油を混合して使用するものであり、そのための設備は大がかりとなり、このような設備は商用電力などが豊富に得られる設備環境の整った場所にしか設置できず、商用電力などが得られない未開地でなどには到底設置できないという問題があった。【０００８】  さらに、特許文献３における発電装置は、廃食油や廃重油を使用するために、廃食油と廃重油を混合し、熱分解してガス化し、この生成ガスを接触改質後に改質燃料油とするため、その課程が複雑であり、そのための設備が大がかりとなり、このような設備は商用電力などが豊富に得られる設備環境の整った場所にしか設置できず、商用電力などが得られない未開地でなどには到底使用できないという問題があった。【０００９】  本発明は、このような従来の課題に着目してなされたもので、商用電力が得られない未開地や後進国においても手軽に使用でき、しかも、廃食油などから得られた１００％の植物油を使用し、環境にも優しいディーゼルエンジンを使用したエンジン発電機を提供するものである。
【課題を解決するための手段】
【００１０】  上記目的を達成するために、本発明に係る発電機は、ディーゼルエンジンと、前記ディーゼルエンジンで駆動される発電機を備えたエンジン発電機であって、前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするものである。【００１１】  また、本発明に係る発電機は、ディーゼルエンジンと、前記ディーゼルエンジンで駆動される発電機を備えたエンジン発電機であって、前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、前記燃料フィルタは、金属性のフィルタヘッドと、前記フィルタヘッドに固着された半透明のフィルタ容器と、前記フィルタ容器に収容されたフィルタエレメントと、前記フィルタ容器の底部に設けられたドレイン通路に加熱用のヒータと、が備えられ、エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴としている。【００１２】  また、本発明に係る発電機は、ディーゼルエンジンと、前記ディーゼルエンジンで駆動される発電機を備えたエンジン発電機であって、前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、前記燃料噴射ポンプは、燃料を圧送するプランジャと、前記プランジャから圧送される燃料を先端のノズルに導入する噴射管と、先端がエンジン本体の燃焼室に向けられて固定されたノズルとが備えられ、前記ノズルには加熱用のヒータが取り付けられ、エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴としている。【００１３】  また、本発明に係る発電機は、ディーゼルエンジンと、前記ディーゼルエンジンで駆動される発電機を備えたエンジン発電機であって、前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、前記電気的加熱手段は、電源が車両本体のバッテリに接続されたコントロールパネルと、前記コントロールパネルに接続された前記燃料フィルタのヒータと前記噴射ポンプのヒータとが備えられ、前記コントロールパネルには、タイマ時間をセットするスイッチと、ヒーターの作動状態を表示するランプが設けられ、エンジン始動時には前記燃料フィルタと前記燃料噴射ポンプを前記電気的加熱手段で燃料を暖め、エンジン始動時から所定時間後はエンジンで暖められた冷却風で燃料を暖���ることを特徴としている。【００１４】  また、本発明に係る発電機は、ディーゼルエンジンと、前記ディーゼルエンジンで駆動される発電機を備えたエンジン発電機であって、前記ディーゼルエンジンは、植物油を燃料とする空冷エンジンであって、燃料タンクに取り付けられた燃料フィルタとエンジン本体に取り付けられた燃料噴射ポンプには電気的加熱手段が取り付けられ、前記発電機は、交流発電機と整流器、インバータを備え、交流１００Ｖと直流１２Ｖおよび２４Ｖを同時に出力でき、エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするものである。【００１５】  さらに、本発明に係る発電機は、前記ディーゼルエンジンで駆動される発電機を備えたエンジン発電機であって、前記ディーゼルエンジンは、植物油を燃料とするエンジンであって、燃料タンクに取り付けられた燃料フィルタとエンジン本体に取り付けられた燃料噴射ポンプには電気的加熱手段が取り付けられ、前記発電機は、交流発電機と整流器、インバータ、充電器を備え、交流と直流の任意の電圧を同時に出力し、前記充電器は負荷となる蓄電池を１時間以内に充電可能な構成とし、エンジン始動時には前記燃料フィルタと前記燃料噴射ポンプを前記電気的加熱手段で燃料を暖め、エンジン始動時から所定時間後はエンジンで暖められた冷却風で燃料を暖めることを特徴とするものである。
【発明の効果】
【００１６】  このように構成されたエンジン発電機は、ディーゼルエンジンの燃料加熱システムには電気的加熱手段を使用しているため、エンジンの始動時において、エンジンが暖まらない段階においても、電気的加熱手段により燃料を暖めることができるため、粘土の高いバイオディーゼル燃料を支障なく使用することができるものである。そして、寒冷地や寒冷時のエンジンの始動も電気的加熱手段により燃料を暖めることができるため、始動性に難点のあるバイオディーゼル燃料を使用しても、軽油を使用した場合と同様に、簡単にがエンジンの始動ができるものである。【００１７】  また、本発明のエンジン発電機は、小型で人力でも運搬可能な重量や構造となっており、商用電力の得られない未開地や後進国に、車両でしか運搬できないような大型発電機が使用できない場所においても、設置するための手間も必要なく手軽に使用できるものである。【００１８】  さらに、本発明のエンジン発電機は、廃食油などから得られた１００％の植物油を使用するので、軽油などが得られない場所でも食物で不用になった廃食油で発電することができ、未開地や後進国においても継続的に使用でき、しかも環境を汚染することなく発電することができ、商用電力の得られない未開の地においても夜間の照明やラジオやテレビなどの文化の恩恵を受けることが可能になるものである。
【発明を実施するための最良の形態】
【００１９】  以下、図面の図１乃至図６に基づき、本発明の最良の形態を詳細に説明する。図１は本発明に係るエンジン発電機の全体を示す斜視図、図２は図１のエンジン発電機に使用するディーゼルエンジンの燃料供給装置の燃料加熱システムを示すブロック図、図３は図２の燃料加熱システムに使用する燃料フィルタの断面図、図４は図２の燃料加熱システムに使用する燃料噴射ポンプを示す一部破断の側面図、図５は図１の燃料加熱システムに使用する電気的手段を示すブロック図、図６は図１のエンジン発電機の発電機の構成を示すブロック図である。【００２０】  図１は、本発明に係る本発明に係るエンジン発電機の構成を示すもので、ディーゼルエンジンＥと、このディーゼルエンジンＥで駆動される発電機Ｇを備えている。このエンジン発電機は、ディーゼルエンジンＥと発電機Ｇが一体化されてフレーム１に取り付けられている。このエンジン発電機の上部には燃料タンク２が取り付けられ、フレーム１の側面には操作パネル４１が取り付けられている。【００２１】  このディーゼルエンジンＥは、植物油を燃料とする空冷エンジンを使用している。そのため、エンジン本体２０は、冷却フィンが形成されたシリンダを備えており、このシリンダに冷却風を当てるため図示しない冷却ファンを備えたものである。即ち、エンジン本体２０は、図示しないクランク軸により冷却ファンが駆動され、冷却ファンにより発生した冷却風が効率良くシリンダに当たるように、エンジン本体２０を覆うシリンダカバー２１が取り付けられている。【００２２】  また、冷却風の取り入れ口にはスタータカバー２２が取り付けられ、スタータカバー２２に形成されたスリット２２ａより冷却風を取り入れるようになっている。また、スタータカバー２２にはリコイルスタータ２３が設けられており、エンジン本体２０は通常の場合、図示しないバッテリとセルモータで始動するが、バッテリとセルモータが使用できない場合にリコイルスタータ２３で始動するものである。【００２３】  また、このディーゼルエンジンＥは、植物油を燃料とする空冷エンジンなので、図２に示すように、燃料タンク２に取り付けられた燃料フィルタ１０とエンジン本体２０に取り付けられた燃料噴射ポンプ３０には電気的加熱手段４０が取り付けられている。【００２４】  このディーゼルエンジンＥは、エンジン始動時には前記燃料フィルタ１０と前記燃料噴射ポンプ３０を前記電気的加熱手段４０で燃料を暖める。そして、エンジン始動時から所定時間後はエンジンが暖まるので、このエンジンを冷却する冷却風もフィンの間を通過する間に暖まり、この冷却風が後述する燃料フィルタ１０から燃料噴射ポンプ３０までの間燃料パイプ４に当たり、燃料を暖めるように構成されたものである。【００２５】  燃料タンク１は、汎用の燃料タンクをそのまま使用するものである。この燃料タンク２より燃料パイプで接続された燃料フィルタ１０は、図３に示すように、金属性のフィルタヘッド１１と、このフィルタヘッド１１に固着された透明のフィルタ容器１２と、このフィルタ容器１２に収容されたフィルタエレメント１３とを備えたものである。このフィルタ容器１２の底部には、フィルタ容器１２に溜まった水を排出するためのドレ���ン通路１４が設けられており、このドレイン通路１４には加熱用のヒータ１５が取り付けられている。【００２６】  このように構成された燃料フィルタ１０は、燃料パイプ２に接続された燃料入口１６よりバイオディーゼル燃料がフィルタ容器１２に流入する。この流入したバイオディーゼル燃料は矢印のようにフィルタエレメント１３を通過することにより濾過され浄化される。この浄化されたバイオディーゼル燃料は燃料出口１７より燃料パイプ４を通り、燃料噴射ポンプ３０へ送られる。【００２７】  このフィルタエレメント１３により除去された燃料に混じった塵や不純物などは、フィルタエレメント１３の内部に溜まり汚れとなって残り、透明なフィルタ容器１２の外から見えるので、適宜フィルタエレメント１３を取り出して掃除を行うものである。そして、燃料に含まれる水分は燃料より比重が重いので、分離されてフィルタ容器１２の下側に溜まるものである。この溜まった水分は透明なフィルタ容器１２の外から見えるので、適宜ドレイン通路１４のコック１４ａを開いて排出するものである。【００２８】  また、加熱用のヒータ１５は、フィルタ容器１２の全体を加熱できる能力（１０８Ｗ）を備えたもので、エンジンスタート時の低温の場合や、エンジンの冷却風が始動時において所定温度に達しない場合作動させるものである。そのため、後述する電気的加熱手段４０には、スタート時の温度に合わせて、加熱用のヒータ１５の加熱時間を設定できるように、タイマを備えている。【００２９】  この燃料フィルタ１０から燃料噴射ポンプ３０へ燃料パイプ４が接続され、この燃料パイプ４の途中に屈曲部４ａが設けられている。この屈曲部４ａは燃料がストレートに燃料噴射ポンプ３０へ流れ込まず、少し滞留するようになっている。この滞留している間に前述したエンジンで暖められた冷却風が当たり、燃料を暖め易くするものである。【００３０】  この燃料パイプ４に接続された燃料噴射ポンプ３０は、図４に示すように、エンジン本体２０に取り付けられている。この燃料噴射ポンプ３０は、燃料を圧送するプランジャ３１と、このプランジャ３１から圧送される燃料を先端のノズル３３に導入する噴射管３２と、先端がエンジン本体２０の燃焼室２５に向けられて固定されたノズル３３とを備えたものである。このノズル３３には加熱用のヒータ３４が取り付けられたものである。【００３１】  このように構成された燃料噴射ポンプ３０は、エンジンの始動にあたって、既にエンジン本体２０に設けられてグロープラグ２６が燃焼室２５を加熱するとともに、ノズル３３がヒータ３４によって加熱されるため、燃焼室２５に噴射される燃料ガスも高温になり、始動性が向上するものである。これにより、始動性に難点のあるバイオディーゼル燃料も、軽油と同様にディーゼルエンジンに使用できるものである。【００３２】  また、この燃料噴射ポンプ３０や前記燃料フィルタ１０のヒータを加熱する電気的加熱手段４０は、図５に示すように、電源がバッテリ８接続されたコントロールパネル４１と図示しないタイマを備えている。このコントロールパネル４１には、タイマ時間をセットするタイマスイッチ４２，４３，４４と、ヒーターの作動状態を表示する表示ランプ４５，４６，��７が設けられている。タイマスイッチ４２は、燃料フィルタ１０のヒーター１３と燃料噴射ポンプ３０のヒーター３４の加熱時間を設定するもので、１分単位で１０分まで設定できるようになっている。タイマスイッチ４３は、グロープラグがグロー状態となっている時間を設定するもので、秒単位で設定できるようになっている。タイマスイッチ４４はグロープラグ３５の加熱回路をスタートしてから終了するまで時間を設定するもので、１分単位で１０分まで設定できるようになっている。【００３３】  このように構成された電気的加熱手段４０は、ディーゼルエンジンの始動時において、エンジン本体２０が冷えている状態でも燃料供給装置にあるバイオディーゼル燃料を暖めることができるので、通常の軽油燃料と同等にバイオディーゼル燃料を使用できるものである。この電気的加熱手段４０は、外気温度が高い場合には使用しなくてもディーゼルエンジンの始動は可能であるが、寒冷地や寒冷時におけるディーゼルエンジンの始動に効果を発揮するものである。また、エンジンスタートして所定時間後は空冷エンジンも暖まるので、エンジンの冷却風も暖まり、この冷却風により燃料パイプ４を通過するバイオディーゼル燃料は十分暖められる。従って、電気的加熱手段４０による加熱が不要となるので、タイマの設定時間は、この条件で設定すればよい。【００３４】  以上のように、本発明のディーゼルエンジンＥは、加熱手段には電気的加熱手段４０とエンジンの冷却風を使用したことにより、エンジンの始動時において、エンジンが暖まらない段階においても、電気的加熱手段により燃料を暖めることができるので、粘土の高いバイオディーゼル燃料を支障なく使用することができ、エンジンが所定温度に達した後は、電気的加熱手段を使用せずバイオディーゼル燃料を加熱できるので、効率的な使用ができるものである。【００３５】  また、このディーゼルエンジンＥにより駆動される発電機Ｇは、図６に示すように、発電機本体５０に接続された整流回路５１と、この整流回路５１に接続されたインバータ５２と、出力電圧を検出する電圧計５３によりディーゼルエンジンＥの回転を自動的に調整するコントローラ５４を備えている。そして、コントローラ５４の出力は、ディーゼルエンジンＥに取り付けられたアクチュエータ５５  に伝達され、スロットル弁の開度を調整し、負荷に応じてエンジンの回転を適正になるようにコントロールするものである。【００３６】  この発電機Ｇは、交流発電機を使用するもので、交流発電機はその特性から低回転より安定した電圧を得ることができ、出力の切り換えブラシを必要としないので、長期信頼性も高いものである。整流回路５１はブリッジ回路などを使用した全波整流型の整流器を使用する。【００３７】  インバータ５２は、整流回路５１から出力される直流電圧を所定の周波数を持つ交流電圧に変換して、図示しない電気機器に供給するものである。このインバータ５２を使用するのは、交流発電機より直接電気機器に供給する場合は、負荷により周波数が不安定になり易く、その制御が難しいためインバータ５２を使用した方が周波数を安定して供給できるためである。【００３８】  コントローラ５４は、整流回路５１の出力電圧が負荷によって変動することを電圧計で検出し、この電圧を基準電圧と比較し、この基準電圧とずれた電圧分を補正するものである。この補正電圧分を図示しない電子ガバナにフィードバックするものである。電子ガバナはこの補正電圧分だけを動作させる信号をアクチュエータ５５に送り、アクチュエータ５５は補正電圧分だけのスロットル弁の開度を調整するものである。【００３９】  このように構成された発電機Ｇは、廃食用油だけを燃料とするディーゼルエンジンを使用しているので、環境を最優先とした発電機とすることができ、１２Ｖ，２４Ｖ，１００Ｖ，２００Ｖなどの任意の電圧を同時に使用することができ、災害や緊急時の非常用電源として使用することができるものである。さらに、発電機Ｇは、充電器が備えられており、各種のバッテリ式作業車や電動三輪車、電動車椅子などのバッテリに１時間以内に急速に充電可能になっていることから、あらゆる場所で使用できるものである。
【図面の簡単な説明】
【００４０】
【図１】  本発明に係るエンジン発電機の全体を示す斜視図である。
【図２】  図１のエンジン発電機に使用するディーゼルエンジンの燃料供給装置の燃料加熱システムを示すブロック図である。
【図３】  図２の燃料加熱システムに使用する燃料フィルタの断面図である。
【図４】  図２の燃料加熱システムに使用する燃料噴射ポンプを示す一部破断の側面図である。
【図５】  図２の燃料加熱システムに使用する電気的手段を示すブロック図である。
【図６】  図１のエンジン発電機の発電機の構成を示すブロック図である。
【符号の説明】
【００４１】  Ｅ        ディーゼルエンジン
Ｇ        発電機
１        フレーム
２        燃料タンク
４        燃料パイプ
７        配線ケーブル
８        バッテリ
１０        燃料フィルタ
１１        フィルタヘッド
１２        フィルタ容器
１３        フィルタエレメント
１４        ドレイン通路
１５        ヒータ
１６        燃料入口
１７        燃料出口
２０        エンジン本体
２１        シリンダカバー
２２        スタータカバー
２３        リコイルスタータ
３０        燃料噴射ポンプ
３１        プランジャ
３２        噴射管
３３        ノズル
３４        ヒータ
３５        グロープラグ
４０        電気的加熱手段
４１        コントロールパネル
４２        タイマスイッチ
４３        タイマスイッチ
４４        タイマスイッチ
４５        表示ランプ
４６        表示ランプ
４７        表示ランプ
【図１】
2009168002.tif 000003
【図２】
2009168002.tif 000004
【図３】
2009168002.tif 000005
【図４】
2009168002.tif 000006
【図５】
2009168002.tif 000007
【図６】
2009168002.tif 000008